(57)【要約】【課題】現状よりも間欠印字性や連続印字性にすぐれ、たとえば、固形の製剤の表面に良好な印字をすることができるインクジェットインクを提供する。【解決手段】インクジェットインクは、着色剤、アラビアガム、炭素数１２〜２０の高級アルコール、炭素数１〜４の低級アルコール、および水を含む。アラビアガムは、ｐＨが３．５以上であるのが好ましい。アラビアガムＧと高級アルコールＨの質量比Ｇ／Ｈは５〜５０であるのが好ましい。低級アルコールは、エタノールＥとプロパノールＰの２種であり、両者の質量比Ｅ／Ｐは３〜９であるのが好ましい。さらに、界面活性剤としてポリオキシエチレンポリオキシプロピレングリコールを含んでもよい。【選択図】なし【特許請求の範囲】
【請求項１】
着色剤、アラビアガム、炭素数１２以上、２０以下の高級アルコール、炭素数１以上、４以下の低級アルコール、および水を含むインクジェットインク。
【請求項２】
前記アラビアガムは、ｐＨが３．５以上である請求項１に記載のインクジェットインク。
【請求項３】
前記アラビアガムの含有量をＧ、前記高級アルコールの含有量をＨとしたとき、両者の質量比Ｇ／Ｈは５以上、５０以下である請求項１または２に記載のインクジェットインク。
【請求項４】
前記低級アルコールは、エタノールとプロパノールの２種であり、前記エタノールの含有量をＥ、前記プロパノールの含有量をＰとしたとき、両者の質量比Ｅ／Ｐは３以上、９以下である請求項１ないし３のいずれか１項に記載のインクジェットインク。
【請求項５】
さらに界面活性剤として、ポリオキシエチレンポリオキシプロピレングリコールを含む請求項１ないし４のいずれか１項に記載のインクジェットインク。
【発明の詳細な説明】
【技術分野】
【０００１】
本発明は、とくに医薬品等として服用される錠剤などの固形の製剤の表面に、直接に、たとえば、識別のための文字や記号等を印字するのに適したインクジェットインクに関するものである。
【背景技術】
【０００２】
医薬品等として服用される錠剤、カプセル剤その他、固形の製剤の表面に、直接に、インクジェットインクを用いて印字をする技術が普及しつつある。
固形の製剤の表面に印字をするためのインクジェットインクとしては、通常、食用色素等の着色剤と、溶剤としての水とを含む水性のインクジェットインクが用いられる。
また溶剤として、水とともに、低級アルコール等の水溶性有機溶剤を併用すると、インクジェットインクに速乾性を付与して、印字後に加熱等の工程を省略してもにじみ等が生じるのを抑制して、印字の鮮明性を向上することができる。
【０００３】
また、水性のインクジェットインクに結着剤を配合すると、とくにヒドロキシプロピルセルロース等でコートされたＦＣ（フィルムコーティング）錠の表面や、水溶性のプラスチック等からなるカプセル剤の表面等に対する印字の定着性を向上することができる。
結着剤としては、たとえば、ヒドロキシプロピルセルロース、ポリビニルピロリドン、ポリビニルピロリドン／ビニルアセテート、プルラン、キサンタンガム、アルギン酸ナトリウム等の、食品用等として使用可能な各種の水溶性樹脂を用いることができる。
【０００４】
しかし、上記従来の結着剤を用いたインクジェットインクは、印字のデキャップタイムにインクジェットプリンタのノズルで目詰まりして、印字の再開時にかすれ等を生じやすい場合がある。
デキャップタイムとは、オンデマンド型のインクジェットプリンタに複数設けられたノズルのうち、間欠印字時に、印字パターンに応じてインク滴が吐出されない待機状態とされたノズル内のインクジェットインクが、外気にさらされている時間を指す。
【０００５】
インクジェットプリンタには、通常、その運転停止時にノズル内のインクジェットインクが外気にさらされることで乾燥して目詰まりしたりしないようにするために、ノズルを閉じる（キャップする）機能が付与されているのが一般的である。
しかし、印字時にはキャップは解除されているため、とくに、間欠印字時に待機状態となるノズルは、次にインク滴が吐出されるまでの間、ノズルが閉じられていない状態（デキャップの状態）が続く。
【０００６】
そしてその間、ノズル内のインクジェットインクは外気にさらされ続けることになる。
そのため上記時間、つまりデキャップタイムが長いほど、水や水溶性有機溶剤の気化による増粘、さらには固形分の析出により、ノズルの目詰まりと、それに伴うインクジェットインクの吐出不良とを生じやすくなる傾向がある。
デキャップタイムに、ノズルの目詰まりによる吐出不良を生じにくい特性を、以下では「間欠印字性」の良否として評価することとする。
【０００７】
吐出不良を生じないデキャップタイムが長ければ長いほど、インクジェットインクは、間欠印字性が良好であると評価することができる。
また、従来の結着剤を用いたインクジェットインクは、貯蔵時や印字を繰り返している間に固形分が析出しやすく、析出した固形分によってノズルが目詰まりして吐出不良を生じやすい傾向もある。
【０００８】
そして、これらの吐出不良を生じる結果、良好な印字をすることができなくなる場合がある。
印字を繰り返した際に、目詰まりによるインク滴の吐出不良を生じにくい特性を、以下では「連続印字性」の良否として評価することとする。
吐出不良を生じることなく、連続して印字し続けることができる印字回数が多ければ多いほど、インクジェットインクは、連続印字性が良好であると評価することができる。
【０００９】
前述した従来の結着剤を用いたインクジェットインクが目詰まりを生じやすいのは、これらの結着剤を含むインクジェットインクが、水や水溶性有機溶剤の気化に伴って増粘したり、固形分が析出したりしやすいためである。
つまり、従来の結着剤を用いたインクジェットインクは、間欠印字時や連続印字時に増粘したり固形分が析出したりしてノズル内で目詰まりしやすいため、間欠印字性や連続印字性が低下する傾向がある。
【先行技術文献】
【特許文献】
【００１０】
【特許文献１】特表２００６−５２３７５１号公報
【特許文献２】特開２０１２−０５１１１４号公報
【発明の概要】
【発明が解決しようとする課題】
【００１１】
特許文献１、２では、結着剤として、アラビアガムを用いることが提案されている。
発明者の検討によると、アラビアガムを用いたインクジェットインクは、前述した従来の結着剤を用いたものに比べて、ノズル内やノズルの出口の周囲で増粘したり固形分が析出したりしにくいため、ある程度は、間欠印字性や連続印字性を改善することができる。
しかし、その効果は未だ十分ではなく、依然として間欠印字性が低下したり、連続印字性が低下したりして、固形の製剤の表面等に良好な印字をすることができない場合がある。
【００１２】
本発明の目的は、現状よりも間欠印字性や連続印字性にすぐれ、たとえば、固形の製剤の表面に良好な印字をすることができるインクジェットインクを提供することにある。
【課題を解決するための手段】
【００１３】
本発明は、着色剤、アラビアガム、炭素数１２以上、２０以下の高級アルコール、炭素数１以上、４以下の低級アルコール、および水を含むインクジェットインクである。
【発明の効果】
【００１４】
本発明によれば、現状よりも間欠印字性や連続印字性にすぐれ、たとえば、固形の製剤の表面に良好な印字をすることができるインクジェットインクを提供することができる。
【発明を実施するための形態】
【００１５】
上述したように、本発明は、着色剤、アラビアガム、炭素数１２以上、２０以下の高級アルコール、炭素数１以上、４以下の低級アルコール、および水を含むインクジェットインクである。
発明者の検討によれば、結着剤としてアラビアガムを用いたインクジェットインクに、さらに、炭素数が上記の範囲にある高級アルコールを配合することによって、当該インクジェットインクの間欠印字性、連続印字性を、現状よりも向上することができる。
【００１６】
すなわち、炭素数が１２以上、２０以下である高級アルコールは、通常の印字環境である常温では固体で、ワックス状を呈し、炭素数１以上、４以下の低級アルコールには溶解するものの、水には溶解しない。
一方、アラビアガムは、やはり常温では固体であり、逆に水には溶解するものの、炭素数１以上、４以下の低級アルコールには溶解しない。
【００１７】
そのため高級アルコール、低級アルコール、および水との溶解性のバランスによって、アラビアガムは、インクジェットインク中に、最初から溶解性に余裕を持たせない状態で溶解している。
インク滴が吐出されない待機時に、インクジェットプリンタのノズル内では、インクジェットインクと外気との気液界面にメニスカスが形成されて、インクジェットインクは静止状態とされる。
【００１８】
待機状態に入り、ノズル内のインクジェットインクが静止してメニスカスが形成されると、アラビアガムが、形成されたメニスカスの液面に析出してごく薄い膜を形成する。
これにより、インクジェットインクの乾燥が抑制され、膜の内側のインクジェットインクが、待機状態の間、吐出可能な低粘度の状態に維持される。
しかも、上述した高級アルコール、低級アルコール、および水との溶解性のバランスによって、アラビアガムは、インクジェットインク中から析出する際の造膜性が適度に抑制された状態となる。
【００１９】
そのため、メニスカスの液面に形成される膜は、次の吐出時に、ノズル内のインクジェットインクに加わる吐出圧力によって簡単に破ることができる、連続性の低い硬脆い膜となる。
したがって、待機状態の終了直後から、所定体積のインク滴を吐出させることができ、間欠印字性を向上することができる。
【００２０】
また、炭素数１２以上、２０以下の高級アルコールを含むことによって、インクジェットインクは、ノズルプレートに対する濡れ性が抑えられて、ノズルの出口の周囲に濡れ拡がることが抑制される。
しかも、上述した各成分を併用することによる溶解性のバランスによって、貯蔵時や印字を繰り返している間のインクジェットインク中に、ノズルの目詰まりによる吐出不良の原因となりうる固形分が析出するのを抑制することもできる。
【００２１】
そのため、印字を繰り返しても目詰まりを生じにくくして、連続印字性を向上することもできる。
したがって、本発明によれば、現状よりも間欠印字性や連続印字性にすぐれ、たとえば、固形の製剤の表面に良好な印字をすることができるインクジェットインクを提供することができる。
【００２２】
〈アラビアガム〉
アラビアガムとしては、アカシア属などの植物の幹や枝などから採取されるゴム様の分泌物を乾燥し、さらに必要に応じて精製等して得られ、アラビン酸のＣａ、Ｍｇ、Ｋなどの塩であるアラビンを主な成分とする、種々のアラビアガムを用いることができる。
また、アラビアガムとしては、たとえば、粉砕したり、スプレードライ法等によって粉末化、あるいは顆粒化したりしたものを用いることもできる。
【００２３】
とくに、アラビアガムとしては、２５％水溶液とした際のｐＨが３．５以上であるものを用いるのが好ましい。
アラビアガムを脱塩精製等して得られる、ｐＨが３．５未満のアラビアガムを含むインクジェットインクは、後述する実施例の結果からも明らかなように、デキャップタイムに僅かにノズルの目詰まりを生じやすくなって、間欠印字性が低下する傾向がある。
【００２４】
これに対し、ｐＨが３．５以上であるアラビアガムによれば、前述した低級アルコール、高級アルコール、および水との併用の効果によって、デキャップタイムにノズルの目詰まりを生じにくくして、インクジェットインクの間欠印字性をさらに向上できる。
ｐＨが３．５以上であるアラビアガムの具体例としては、これに限定されないが、たとえば、三栄薬品貿易(株)製のアラビックコールＳＳ〔速溶化スプレードライ法による速溶性顆粒、食品添加物、ｐＨ：４．０〜４．５〕、アラビックコールＪＰＳ〔速溶化スプレードライ法による速溶性顆粒、日本薬局方アラビアゴム末、ｐＨ：４．０〜４．５〕、アラビックコールＪＰＦ〔スプレードライ法による粉末、日本薬局方アラビアゴム末、ｐＨ：４．０〜４．５〕、アラビアガムスプレードライド〔スプレードライ法による粉末、ろ過殺菌性製品、食品添加物、ｐＨ：４．０〜４．５〕、アラビアゴム末ＨＰ〔粉砕法による粉末、食品添加物、ｐＨ：４．０〜４．５〕、アラビアゴム末ＫＣ〔粉砕法による粉末、食品添加物、一般工業用、ｐＨ：４．０〜４．５〕、日本薬局方アラビアゴム末〔粉砕法による粉末、ｐＨ：４．０〜４．４〕、伊那食品工業(株)製のイナゲル  アラビアガムＡ〔粉末、食品添加物、ｐＨ：４〜６〕等の１種または２種以上を用いることができ、とくにアラビックコールＳＳが好ましい。
【００２５】
〈高級アルコール〉
高級アルコールの炭素数が、前述したように１２以上、２０以下に限定されるのは、下記の理由による。
すなわち、炭素数が１２未満の高級アルコールは常温で液状を呈するため、前述した、アラビアガム、低級アルコール、および水との併用の効果によって、デキャップタイムにノズルの目詰まりを生じにくくする効果が得られず、間欠印字性が低下する。
【００２６】
一方、炭素数が２０を超える高級アルコールは、上記併用系中での溶解性が低いため、インクジェットインクの安定性が低下して、貯蔵時に固形分が析出しやすくなる。
また、たとえば、貯蔵時や印字を繰り返している間に固形分が析出しやすくなり、析出した固形分によってノズルが目詰まりしやすくなって、連続印字性も低下する。
これに対し、炭素数が１２以上、２０以下の高級アルコールを選択して用いることにより、前述したメカニズムによって、インクジェットインクの間欠印字性や連続印字性をさらに向上して、たとえば、固形の製剤の表面に良好な印字をすることができる。
【００２７】
また、安定性を向上して、貯蔵時に固形分が析出するのを抑制することもできる。
炭素数が１２以上、２０以下である高級アルコールとしては、たとえば、ラウリルアルコール（炭素数１２）、トリデシルアルコール（炭素数１３）、ミリスチルアルコール（炭素数１４）、ペンタデシルアルコール（炭素数１５）、セタノール（炭素数１６）、パルミトレイルアルコール（炭素数１６）、ヘプタデカノール（炭素数１７）、ステアリルアルコール（炭素数１８）、イソステアリルアルコール（炭素数１８）、エライジルアルコール（炭素数１８）、オレイルアルコール（炭素数１８）、リノレイルアルコール（炭素数１８）、エライドリノレイルアルコール（炭素数１８）、リノレニルアルコール（炭素数１８）、エライドリノレニルアルコール（炭素数１８）、リシノレイルアルコール（炭素数１８）、ノナデシルアルコール（炭素数１９）、アラキジルアルコール（炭素数２０）等が挙げられる。
【００２８】
中でも、上述した効果をより一層向上することを考慮すると、高級アルコールとしては、炭素数が１４以上、１８以下であるものを用いるのが好ましい。
かかる高級アルコールとしては、たとえば、ミリスチルアルコール、セタノール、ステアリルアルコール等が挙げられ、とくにセタノールが好ましい。
これら高級アルコールの１種または２種以上を用いることができる。
【００２９】
〈質量比、含有量〉
インクジェットインクの総量中の、アラビアガムの含有量をＧ（質量％）、高級アルコールの含有量をＨ（質量％）としたとき、両者の質量比Ｇ／Ｈは３以上、とくに５以上であるのが好ましく、７５以下、とくに５０以下であるのが好ましい。
質量比Ｇ／Ｈがこの範囲未満では、たとえば、高級アルコールが過剰になり、インクジェットインクの安定性が低下して、貯蔵時に固形分が析出しやすくなる場合がある。
【００３０】
また、たとえば、貯蔵時や印字を繰り返している間に固形分が析出しやすくなり、析出した固形分によってノズルが目詰まりしやすくなって、連続印字性が低下する場合もある。
また、アラビアガムは増粘剤としても機能するが、当該アラビアガムが不足する場合には、増粘効果が不十分になって、インクジェットインクを、間欠印字性や連続印字性を考慮した適度の粘度に調整できない場合もある。
【００３１】
さらに、前述したようにアラビアガムは結着剤として機能するが、当該アラビアガムが不足する場合には、ＦＣ錠の表面やカプセル剤の表面等に対する印字の定着性が不十分になる場合もある。
一方、質量比Ｇ／Ｈが上記の範囲を超える場合には、たとえば、高級アルコールが不足して、前述したメカニズムによる、インクジェットインクの間欠印字性や連続印字性を向上する効果が十分に得られない場合がある。
【００３２】
すなわち、前述したアラビアガム、低級アルコール、および水との併用の効果によって、デキャップタイムにノズルの目詰まりを生じにくくする効果が十分に得られないため、間欠印字性が低下する場合がある。
また、上記各成分の溶解性のバランスによって、貯蔵時や印字を繰り返している間のインクジェットインク中に、ノズルの目詰まりによる吐出不良の原因となりうる固形分が析出するのを抑制する効果が十分に得られないため、連続印字性が低下する場合もある。
【００３３】
さらに、ノズルプレートに対する濡れ性を抑えて、インクジェットインクがノズルの出口の周囲に濡れ拡がるのを抑制する効果が十分に得られないため、連続印字性が低下する場合もある。
また、アラビアガムが過剰である場合は、当該アラビアガムによる増粘効果も過剰となって、却って、インクジェットインクを、間欠印字性や連続印字性を考慮した適度の粘度に調整できない場合もある。
【００３４】
これに対し、質量比Ｇ／Ｈを上記の範囲とすることにより、前述したメカニズムによって、インクジェットインクの間欠印字性や連続印字性をさらに向上して、たとえば、固形の製剤の表面に良好な印字をすることができる。
また、とくにＦＣ錠の表面やカプセル剤の表面等に対する印字の定着性を向上したり、インクジェットインクの安定性を向上して、貯蔵時に固形分が析出するのを抑制したりすることもできる。
【００３５】
アラビアガムの含有量Ｇは、インクジェットインクの総量中の０．５質量％以上であるのが好ましく、２．０質量％以下であるのが好ましい。
アラビアガムの含有量Ｇがこの範囲未満では、とくにＦＣ錠の表面やカプセル剤の表面等に対する印字の定着性が不十分になる場合がある。
また、アラビアガムによる増粘効果が不十分になって、インクジェットインクを、間欠印字性や連続印字性を考慮した適度の粘度に調整できない場合もある。
【００３６】
一方、アラビアガムの含有量Ｇが上記の範囲を超える場合には、インクジェットインクの安定性が低下して、たとえば、貯蔵時に固形分が析出したり、インクジェットプリンタのノズルで目詰まりを生じて連続印字性が低下したりする場合がある。
また、アラビアガムによる増粘効果も過剰となって、却って、インクジェットインクを、間欠印字性や連続印字性を考慮した適度の粘度に調整できない場合もある。
【００３７】
これに対し、アラビアガムの含有量Ｇを上記の範囲とすることによって、インクジェットインクを、間欠印字性や連続印字性を考慮した適度の粘度に調整することができる。
そして、間欠印字性や連続印字性をさらに向上して、たとえば、固形の製剤の表面に良好な印字をすることができる。
また、とくにＦＣ錠の表面やカプセル剤の表面等に対する印字の定着性を向上したり、インクジェットインクの安定性を向上して、貯蔵時に固形分が析出するのを抑制したりすることもできる。
【００３８】
さらに、高級アルコールの含有量Ｈは、インクジェットインクの総量中の０．０２質量％以上、とくに０．０３質量％以上であるのが好ましく、０．５質量％以下、とくに０．３質量％以下であるのが好ましい。
高級アルコールの含有量Ｈがこの範囲未満では当該高級アルコールが不足して、前述したメカニズムによる、インクジェットインクの間欠印字性や連続印字性を向上する効果が十分に得られない場合がある。
【００３９】
一方、高級アルコールの含有量Ｈが上記の範囲を超える場合には、インクジェットインクの安定性が低下して、貯蔵時に固形分が析出しやすくなる場合がある。
また、たとえば、貯蔵時や印字を繰り返している間に固形分が析出しやすくなり、析出した固形分によってノズルが目詰まりしやすくなって、連続印字性が低下する場合もある。
【００４０】
これに対し、高級アルコールの含有量Ｈを上記の範囲とすることにより、前述したメカニズムによって、インクジェットインクの間欠印字性や連続印字性をさらに向上して、たとえば、固形の製剤の表面に良好な印字をすることができる。
また、インクジェットインクの安定性を向上して、貯蔵時に固形分が析出するのを抑制することもできる。
【００４１】
〈低級アルコール〉
低級アルコールの炭素数が、前述したように１以上、４以下に限定されるのは、下記の理由による。
すなわち、炭素数が４を超える低級アルコールでは、インクジェットインクに良好な速乾性を付与することができない。
【００４２】
そのため、とくに印字後に加熱等をしない場合には、印字したインクジェットインクが固形の製剤の表面で拡がってにじみ等を生じやすくなって、印字の鮮明性が低下する場合がある。
これに対し、炭素数が１以上、４以下である低級アルコールを用いることにより、インクジェットインクに良好な速乾性を付与することができる。
【００４３】
そして、印字後に加熱等の工程を省略してもにじみ等が生じるのを抑制して、印字の鮮明性を向上することができる。
炭素数が１以上、４以下である低級アルコールとしては、メタノール（炭素数１）、エタノール（炭素数２）、１−プロパノール（炭素数３）、２−プロパノール（炭素数３）、１−ブタノール（炭素数４）、２−ブタノール（炭素数４）、イソブチルアルコール（炭素数４）、ｔｅｒｔ−ブチルアルコール（炭素数４）が挙げられる。
【００４４】
なお、インクジェットインクの速乾性が高くなりすぎて、ノズル内で目詰まりを生じるのを抑制しながら、印字の鮮明性をさらに向上することを考慮すると、低級アルコールとしては、炭素数が２または３であるものを選択して用いるのが好ましい。
すなわち、低級アルコールとしては、上記の中でもエタノール、１−プロパノール、および２−プロパノールのうちの少なくとも１種を用いるのが好ましい。
【００４５】
とくにエタノールと、１−プロパノールおよび／または２−プロパノール（以下「プロパノール」と総称する場合がある）とを併用するのが好ましい。
エタノールは速乾性にすぐれ、印字の鮮明性を向上するために機能する。
また低級アルコールおよび水は、水＜メタノール＜エタノール＜プロパノール＜ブタノールの順に、炭素数が多くなるほど、はじき等を生じることなくスムースに、ノズルに生じる毛管力によって、当該ノズル内に供給される。
【００４６】
そのため、エタノールとともにプロパノールを併用することで、インクジェットインクをノズル内へ速やかに供給して、高周波印字の応答性を向上することができる。
高周波印字の応答性とは、印字速度（印字周波数）の高いインクジェットプリンタを用いて、高速で連続印字した際に、ノズルへのインクジェットインクの供給が追い付かずに印字がかすれたりすることなしに、連続して印字できる特性を指す。
【００４７】
高周波印字の応答性の高いインクジェットインクほど、様々な印字速度のインクジェットプリンタに幅広く対応することができ、汎用性にすぐれていると言える。
〈質量比、含有量〉
上記併用系では、インクジェットインクの総量中の、エタノールの含有量をＥ（質量％）、プロパノールの含有量をＰ（質量％）としたとき、両者の質量比Ｅ／Ｐが２以上、とくに３以上であるのが好ましく、１６以下、とくに９以下であるのが好ましい。
【００４８】
質量比Ｅ／Ｐがこの範囲未満ではエタノールが不足して、インクジェットインクの速乾性が低下することにより、とくに印字後に加熱等をしないと印字の鮮明性が低下する場合がある。
一方、質量比Ｅ／Ｐが上記の範囲を超える場合にはプロパノールが不足して、高周波印字の応答性が低下する場合がある。
【００４９】
これに対し、質量比Ｅ／Ｐを上記の範囲とすることにより、印字の鮮明性、および高周波印字の応答性をいずれも、さらに向上することができる。
また、インクジェットインクの総量中の、低級アルコールの含有量をＬ（質量％）、水の含有量をＷ（質量％）としたとき、両者の質量比Ｌ／Ｗは０．５以上であるのが好ましく、２以下であるのが好ましい。
【００５０】
上述したように、低級アルコールとしてエタノールとプロパノールの２種を併用する場合、低級アルコールの含有量Ｌは、上記２種の低級アルコールの合計の含有量、つまりＬ＝Ｅ＋Ｐである。
質量比Ｌ／Ｗが上記の範囲未満では低級アルコールが不足して、インクジェットインクの速乾性が低下することにより、とくに印字後に加熱等をしないと印字の鮮明性が低下する場合がある。
【００５１】
また、高級アルコールの良溶剤である低級アルコールが不足して、当該高級アルコールの溶解性が不足するため、インクジェットインクの安定性が低下する傾向がある。
一方、質量比Ｌ／Ｗが上記の範囲を超える場合には、アラビアガムの良溶剤である水が不足して、当該アラビアガムの溶解性が不足するため、やはりインクジェットインクの安定性が低下する傾向がある。
【００５２】
そして、いずれの場合も、たとえば、貯蔵時に固形分が析出したり、インクジェットプリンタのノズルで目詰まりを生じやすくなって連続印字性が低下したりする場合がある。
また水は、たとえば、固形の製剤の表面に対するインクジェットインクの接触角を大きくして、印字の鮮明性を向上するために機能するが、水が不足すると当該効果が不十分になって印字の鮮明性が低下する場合もある。
【００５３】
これに対し、質量比Ｌ／Ｗを上記の範囲とすることにより、インクジェットインクの良好な速乾性を維持しながら、なおかつその接触角を大きくして、印字の鮮明性を向上することができる。
また、高級アルコールおよびアラビアガムの良好な溶解性を両立し、インクジェットインクの安定性を向上して、貯蔵時に固形分が析出するのを抑制したり、連続印字性を向上したりすることもできる。
【００５４】
水の含有量Ｗは、上述した各成分、および以下で説明する各成分の残量とする。
すなわち、各成分の含有量をそれぞれ所定の範囲に設定し、さらに水を加えたインクジェットインクの総量が１００質量％となるように、水の含有量Ｗを設定すればよい。
〈着色剤〉
着色剤としては、食品添加物もしくは医薬品添加物として使用が認められた各種の着色剤を用いることができる。着色剤としては、たとえば、合成あるいは天然の食用色素等の１種または２種以上が挙げられる。
【００５５】
このうち、合成食用色素としては、たとえば、食用赤色２号、食用赤色３号、食用赤色１０２号、食用赤色１０４号、食用赤色１０５号、食用赤色１０６号、食用黄色４号、食用黄色５号、食用緑色１号、食用青色１号、食用青色２号、食用赤色４０号、食用赤色４０号アルミニウムレーキ、食用赤色３号アルミニウムレーキ、食用黄色４号アルミニウムレーキ、食用青色１号アルミニウムレーキ、食用青色２号アルミニウムレーキ等が挙げられる。
【００５６】
また、天然食用色素としては、たとえば、カラメル色素、トマト色素、ウコン色素、クチナシ色素、β‐カロテン色素、パーム油カロテン、マリーゴールド色素、ベニバナ色素、トウガラシ色素、モナスカス色素、アナトー色素、ラック色素、コチニール色素、ベニコウジ色素、ビートレッド色素、アカキャベツ色素、ムラサキイモ色素、アカダイコン色素、ブドウ果皮色素、アントシアニン色素、シソ色素、エルダーベリー色素、紫トウモロコシ色素、クチナシ色素、カカオ色素、カキ色素、コウリャン色素、スピルリナ色素、パプリカ色素、イカスミ色素、リボフラビン、リボフラビン酪酸エステル、リボフラビンリン酸エステルナトリウム、クロロフィル、銅クロロフィルおよびその金属塩（ナトリウム塩等）、鉄クロロフィルおよびその金属塩（ナトリウム塩等）等が挙げられる。
【００５７】
着色剤の種類および含有量は、色味や色濃度等に応じて適宜設定することができる。
〈界面活性剤〉
本発明のインクジェットインクは、その表面張力や濡れ性等を調整するために、さらに界面活性剤を含んでいてもよい。
界面活性剤としては、たとえば、ポリオキシエチレンポリオキシプロピレングリコールなどの、食品用等として使用可能な界面活性剤を用いることができる。
【００５８】
発明者の検討によると、ポリオキシエチレンポリオキシプロピレングリコールは、インクジェットインクの間欠印字性を向上する機能に優れている。
すなわち、前述したデキャップタイムが長くなると、乾燥によってインクジェットインクの濃度が上昇し、表面張力が変化して、ノズルの内面に対するインクジェットインクの濡れ性と、それに伴うメニスカスの接触角が変化する。
【００５９】
その結果、ノズル内で安定したメニスカスを維持することができなくなる場合がある。
また濃度の上昇に伴って、インクジェットインクの粘度が上昇したり、固形分が析出したりしやすくなる場合もある。
そしてこれらのことが、デキャップタイムにノズルの目詰まりを生じて、印字の再開時にかすれ等を生じる原因となる。
【００６０】
また、デキャップタイムにインクジェットインクの乾燥が進行し、ノズル内で、メニスカスが形成される位置が徐々に後退して、印字の再開時にインクジェットインクの吐出が遅れることも、かすれ等を生じる原因となる。
これに対し、ポリオキシエチレンポリオキシプロピレングリコールは表面張力が低く、濡れ性が高いため、メニスカスを形成する気液界面で配向して、インクジェットインクの乾燥を抑制したり、インクジェットインクの濡れ性を安定化したりするために機能する。
【００６１】
そのためノズル内で、所定の位置に安定したメニスカスを維持することができる。
しかもポリオキシエチレンポリオキシプロピレングリコールは、着色剤や、インクジェットインクの吐出を繰り返した際に発生するヘッドカス等の、インクジェットインク中に含まれる固形分の周囲を囲んでミセルを形成して、これらの固形分が析出するのを抑制する働きもする。
【００６２】
したがって、界面活性剤としてポリオキシエチレンポリオキシプロピレングリコールを用いることによって、インクジェットインクの間欠印字性を向上することができる。
ポリオキシエチレンポリオキシプロピレングリコールとしては、たとえば、式(１)：
ＨＯ(Ｃ２Ｈ４Ｏ)ａ−(Ｃ３Ｈ６Ｏ)ｂ−(Ｃ２Ｈ４Ｏ)ｃＨ      (１)
で表されるポリオキシエチレンとポリオキシプロピレンの縮合物であって、前述した機能を有する種々の、ポリオキシエチレンポリオキシプロピレングリコールを用いることができる。
【００６３】
中でも、インクジェットインクの間欠印字性を向上する効果の点で、たとえば、１５〜２５℃で液状を呈するポリオキシエチレンポリオキシプロピレングリコールが好ましい。
上記の温度範囲で液状を呈するポリオキシエチレンポリオキシプロピレングリコールとしては、たとえば、
・  式(１)中のａ＋ｃで表されるＥ．Ｏ．（エチレンオキサイド）の繰り返し単位数が３以上、２００以下、とくに１７０以下で、かつ
・  式(１)中のｂで表されるＰ．Ｏ．（プロピレンオキサイド）の繰り返し単位数が１５以上、７０以下、とくに４０以下、
である化合物が挙げられる。
【００６４】
ポリオキシエチレンポリオキシプロピレングリコールの具体例としては、これに限定されないが、たとえば、下記の各種化合物等の１種または２種以上が挙げられる。
三洋化成工業(株)製のニューポール（登録商標）ＰＥシリーズのうちＰＥ−６１〔ａ＋ｃ＝５、ｂ＝３０、ａ＋ｂ＋ｃ＝３５、曇点（１質量％水希釈液）：２４℃〕、ＰＥ−６２〔ａ＋ｃ＝１０、ｂ＝３０、ａ＋ｂ＋ｃ＝４０、曇点（１質量％水希釈液）：３０℃〕、ＰＥ−７１〔ａ＋ｃ＝５、ｂ＝３５、ａ＋ｂ＋ｃ＝４０、曇点（１質量％水希釈液）：２０℃〕、ＰＥ−７４〔ａ＋ｃ＝３０、ｂ＝３５、ａ＋ｂ＋ｃ＝６５、曇点（１質量％水希釈液）：５６℃〕、ＰＥ−７５〔ａ＋ｃ＝４８、ｂ＝３５、ａ＋ｂ＋ｃ＝８３、曇点（１質量％水希釈液）：６９℃〕。
【００６５】
(株)ＡＤＥＫＡ製のアデカ（登録商標）プルロニックＬシリーズのうちＬ−３１〔ａ＋ｃ＝３、ｂ＝１７、ａ＋ｂ＋ｃ＝２０、曇点：３９℃〕、プルロニックＦシリーズのうちＦ−６８〔ａ＋ｃ＝１６０、ｂ＝３０、ａ＋ｂ＋ｃ＝１９０、曇点：１００℃超〕、Ｆ−８７〔ａ＋ｃ＝１２０、ｂ＝４０、ａ＋ｂ＋ｃ＝１６０、曇点：１００℃超〕、Ｆ−１２７〔ａ＋ｃ＝１９６、ｂ＝６７、ａ＋ｂ＋ｃ＝２６３、曇点：１００℃超〕、プルロニックＰシリーズのうちＰ−８５〔ａ＋ｃ＝５４、ｂ＝３９、ａ＋ｂ＋ｃ＝９３、曇点：７５℃〕、Ｐ−１２３〔ａ＋ｃ＝４２、ｂ＝６７、ａ＋ｂ＋ｃ＝１０９〕。
【００６６】
ＢＡＳＦジャパン(株)製のコリフォールシリーズのうちＰ１８８〔ａ＋ｃ＝１６０、ｂ＝３０、ａ＋ｂ＋ｃ＝１９０〕、Ｐ４０７〔ａ＋ｃ＝１９６、ｂ＝６７、ａ＋ｂ＋ｃ＝２６３〕、ルトロールシリーズのうちＦ６８〔ａ＋ｃ＝１６０、ｂ＝３０、ａ＋ｂ＋ｃ＝１９０、曇点：１００℃超〕、Ｆ１２７〔ａ＋ｃ＝１９６、ｂ＝６７、ａ＋ｂ＋ｃ＝２６３〕。
【００６７】
とくに、インクジェットインクの間欠印字性を向上する効果の点で、式(１)中のａ＋ｂ＋ｃが４０以下、とくに３５以下である化合物が好ましい。
ポリオキシエチレンポリオキシプロピレングリコールの含有量は、インクジェットインクの総量中の０．４質量％以上、とくに０．６質量％以上であるのが好ましく、１．５質量％以下、とくに１．２質量％以下であるのが好ましい。
【００６８】
ポリオキシエチレンポリオキシプロピレングリコールの含有量がこの範囲未満では、前述した、間欠印字性を向上する効果が十分に得られない場合がある。
一方、ポリオキシエチレンポリオキシプロピレングリコールの含有量が上記の範囲を超える場合には、インクジェットインクの表面張力が低く、濡れ性が高くなりすぎる傾向がある。
【００６９】
そして印字を繰り返した際に、ノズルプレートの、ノズルの出口にインクジェットインクが濡れ拡がってインク溜まりを形成して、連続印字性が低下する場合がある。
また、ノズル内にメニスカスが形成されずに、インクジェットインクがノズルの先端から漏れたりする場合や、さらに泡噛みによる吐出不良を生じやすくなる場合もある。
これに対し、ポリオキシエチレンポリオキシプロピレングリコールの含有量を上記の範囲とすることにより、インクジェットインクの濡れ性を適度の範囲に調整して、泡噛みによる吐出不良や漏れを生じることなく、また連続印字性の低下を生じることなしに、間欠印字性を向上することができる。
【００７０】
上記の各成分に、前述したように水（たとえば、超純水）を加えて総量を１００質量％とすることで、本発明のインクジェットインクが調製される。
上記各成分を含む本発明のインクジェットインクは、先述したオンデマンド型のインクジェットプリンタに、好適に使用することができる。
とくにオンデマンド型の、サーマル方式やピエゾ方式等の各種方式のインクジェットプリンタに使用して、錠剤、カプセル剤その他、固形の製剤の表面に、直接に、印字をすることが可能である。
【実施例】
【００７１】
以下に本発明を、実施例、比較例に基づいて説明するが、本発明の構成は、必ずしもこれらの実施例、比較例に限定されるものではない。
〈実施例１〉
（顔料分散液の調製）
下記の各成分を配合し、撹拌したのちビーズミルを用いて分散させて顔料分散液を調製した。
【００７２】
【表１】
2019218522.tif 000002
表１中の各成分は下記のとおり。
カーボンブラック：ＬＦＦ〔三菱化学(株)製のＭＡ８〕
分散剤：モノオレイン酸デカグリセリル〔日光ケミカルズ(株)製のＮＩＫＫＯＬ（登録商標）ＤＥＣＡＧＬＹＮ  １−ＯＶ、ＨＬＢ：１２．０〕
エタノール：１７質量部
（インクジェットインクの調製）
下記の各成分を配合したのち、５μｍのメンブランフィルタを用いてろ過してインクジェットインクを調製した。
【００７３】
【表２】
2019218522.tif 000003
表２中の各成分は下記の通り。
アラビアガム水溶液：アラビアガム〔三栄薬品貿易(株)製のアラビックコールＳＳ、速溶化スプレードライ法による速溶性顆粒、食品添加物、ｐＨ：４．０〜４．５〕の２０％水溶液（アラビアガム：１．５質量％、水：６．０質量％）
セタノール：高級アルコール、炭素数１６
エタノール：低級アルコール、炭素数２
１−プロパノール：低級アルコール、炭素数３
ＰＥＰＰＧ：式(１)中のａ＋ｃ＝５、ｂ＝３０、ａ＋ｂ＋ｃ＝３５であるポリオキシエチレンポリオキシプロピレングリコール〔三洋化成工業(株)製のニューポールＰＥ−６１、曇点（１質量％水希釈液）：２４℃〕
水：超純水
アラビアガムの含有量は、インクジェットインクの総量中の１．５質量％、アラビアガムと、高級アルコールとしてのセタノールの質量比Ｇ／Ｈは１５．０であった。
【００７４】
また、低級アルコールとしてのエタノールの含有量は、顔料分散液中のものも含めて４０．４質量％、エタノールと１−プロパノールの質量比Ｅ／Ｐは５．０５であった。
さらに低級アルコールとしてのエタノールと１−プロパノールの合計の含有量は４８．４質量％、水の含有量は、アラビアガム水溶液中のものも含めて４６．０質量％、低級アルコールと水の質量比Ｌ／Ｗは１．０５であった。
【００７５】
〈実施例２〉
アラビアガムを脱塩精製して得られた、ｐＨが３．５未満のアラビアガム〔三栄薬品貿易(株)製のサンアラビック、速溶化スプレードライ法による速溶性顆粒、乳化香料、ｐＨ：１．６〜２．２〕を同量配合したこと以外は実施例１と同様にしてインクジェットインクを調製した。
【００７６】
アラビアガムとセタノールの質量比Ｇ／Ｈは１５．０、エタノールと１−プロパノールの質量比Ｅ／Ｐは５．０５、低級アルコールと水の質量比Ｌ／Ｗは１．０５であった。
〈実施例３〜６〉
セタノールに代えて、高級アルコールとして、ミリスチルアルコール（炭素数１４、実施例３）、ステアリルアルコール（炭素数１８、実施例４）、ラウリルアルコール（炭素数１２、実施例５）、アラキジルアルコール（炭素数２０、実施例６）を同量配合したこと以外は実施例１と同様にしてインクジェットインクを調製した。
【００７７】
アラビアガムと高級アルコールの質量比Ｇ／Ｈは１５．０、エタノールと１−プロパノールの質量比Ｅ／Ｐは５．０５、低級アルコールと水の質量比Ｌ／Ｗは１．０５であった。
〈実施例７〉
界面活性剤Ａ、Ｂに代えて、ソルビタン脂肪酸エステルであるソルビタンモノラウレート〔花王(株)製のエマゾールＬ−１０Ｖ、ＨＬＢ：８．６、以下「ＳｍＬ」とする〕１．０質量％を配合したこと以外は実施例１と同様にしてインクジェットインクを調製した。
【００７８】
アラビアガムとセタノールの質量比Ｇ／Ｈは１５．０、エタノールと１−プロパノールの質量比Ｅ／Ｐは５．０５、低級アルコールと水の質量比Ｌ／Ｗは１．０５であった。
〈実施例８〉
セタノールの含有量を０．３質量％、水の含有量を４５．８質量％としたこと以外は実施例１と同様にしてインクジェットインクを調製した。
【００７９】
アラビアガムとセタノールの質量比Ｇ／Ｈは５．０、エタノールと１−プロパノールの質量比Ｅ／Ｐは５．０５、低級アルコールと水の質量比Ｌ／Ｗは１．０６であった。
〈実施例９〉
セタノールの含有量を０．０３質量％、水の含有量を４６．０７質量％としたこと以外は実施例１と同様にしてインクジェットインクを調製した。
【００８０】
アラビアガムとセタノールの質量比Ｇ／Ｈは５０．０、エタノールと１−プロパノールの質量比Ｅ／Ｐは５．０５、低級アルコールと水の質量比Ｌ／Ｗは１．０５であった。
〈実施例１０〉
セタノールの含有量を０．５質量％、水の含有量を４５．６質量％としたこと以外は実施例１と同様にしてインクジェットインクを調製した。
【００８１】
アラビアガムとセタノールの質量比Ｇ／Ｈは３．０、エタノールと１−プロパノールの質量比Ｅ／Ｐは５．０５、低級アルコールと水の質量比Ｌ／Ｗは１．０６であった。
〈実施例１１〉
セタノールの含有量を０．０２質量％、水の含有量を４６．０８質量％としたこと以外は実施例１と同様にしてインクジェットインクを調製した。
【００８２】
アラビアガムとセタノールの質量比Ｇ／Ｈは７５．０、エタノールと１−プロパノールの質量比Ｅ／Ｐは５．０５、低級アルコールと水の質量比Ｌ／Ｗは１．０５であった。
〈実施例１２〉
エタノールの含有量を、顔料分散液中のものも含めて４３．４質量％、１−プロパノールの含有量を５．０質量％としたこと以外は実施例１と同様にしてインクジェットインクを調製した。
【００８３】
アラビアガムとセタノールの質量比Ｇ／Ｈは１５．０、エタノールと１−プロパノールの質量比Ｅ／Ｐは８．６８、低級アルコールと水の質量比Ｌ／Ｗは１．０５であった。
〈実施例１３〉
エタノールの含有量を、顔料分散液中のものも含めて３７．４質量％、１−プロパノールの含有量を１１．０質量％としたこと以外は実施例１と同様にしてインクジェットインクを調製した。
【００８４】
アラビアガムとセタノールの質量比Ｇ／Ｈは１５．０、エタノールと１−プロパノールの質量比Ｅ／Ｐは３．４０、低級アルコールと水の質量比Ｌ／Ｗは１．０５であった。
〈実施例１４〉
エタノールの含有量を、顔料分散液中のものも含めて４５．４質量％、１−プロパノールの含有量を３．０質量％としたこと以外は実施例１と同様にしてインクジェットインクを調製した。
【００８５】
アラビアガムとセタノールの質量比Ｇ／Ｈは１５．０、エタノールと１−プロパノールの質量比Ｅ／Ｐは１５．１、低級アルコールと水の質量比Ｌ／Ｗは１．０５であった。
〈実施例１５〉
エタノールの含有量を、顔料分散液中のものも含めて３２．４質量％、１−プロパノールの含有量を１６．０質量％としたこと以外は実施例１と同様にしてインクジェットインクを調製した。
【００８６】
アラビアガムとセタノールの質量比Ｇ／Ｈは１５．０、エタノールと１−プロパノールの質量比Ｅ／Ｐは２．０３、低級アルコールと水の質量比Ｌ／Ｗは１．０５であった。
〈比較例１、２〉
アラビアガムに代えて、ヒドロキシプロピルセルロース（ＨＰＣ、比較例１）、ポリビニルピロリドン／ビニルアセテート（ＰＶＰ／ＨＰＣ、比較例２）を同量配合したこと以外は実施例１と同様にしてインクジェットインクを調製した。
【００８７】
エタノールと１−プロパノールの質量比Ｅ／Ｐは５．０５、低級アルコールと水の質量比Ｌ／Ｗは１．０５であった。
〈比較例３〉
セタノールを配合せず、水の含有量を４６．１質量％としたこと以外は実施例１と同様にしてインクジェットインクを調製した。
【００８８】
エタノールと１−プロパノールの質量比Ｅ／Ｐは５．０５、低級アルコールと水の質量比Ｌ／Ｗは１．０５であった。
〈比較例４、５〉
セタノールに代えて、高級アルコールとして、１−デカノール（炭素数１０、比較例４）、ベヘニルアルコール（炭素数２２、比較例５）を同量配合したこと以外は実施例１と同様にしてインクジェットインクを調製した。
【００８９】
アラビアガムと高級アルコールの質量比Ｇ／Ｈは１５．０、エタノールと１−プロパノールの質量比Ｅ／Ｐは５．０５、低級アルコールと水の質量比Ｌ／Ｗは１．０５であった。
〈間欠印字性試験〉
オンデマンド型のインクジェットプリンタ（設定周波数：６ｋＨｚ）を使用して、実施例、比較例で調製したインクジェットインクにより、オフセットコート紙上に、下記の印字パターンを印字し、一定時間に亘って静置後に再び印字した。
【００９０】
（印字パターン）
＊  フォントサイズ１１ポイントの大文字「ＡＢＣＤＥ」、小文字「ａｂｃｄｅｆｇ」が正字体およびイタリック体でそれぞれ１列ずつ２列、
＊  １．２ｃｍ×１．２ｃｍのＱＲコード（登録商標）１つ、
＊  １．２ｃｍ×１．２ｃｍのベタ部１つ、および
＊  バーコード１つ
を１列として列ごとにフォントの太さを違えて４列配列した。
【００９１】
（評価）
上記静置後の印字のうち文字を目視にて観察して、下記の基準で連続印字性を評価した。
◎：３０分間静置後に再び印字しても、文字に欠けは見られなかった。
○：３０分間静置後には文字に欠けが見られたが、２０分間静置後には文字に欠けは見られなかった。
【００９２】
△：２０分間静置後には文字に欠けが見られたが、１０分間静置後には文字に欠けは見られなかった。
×：１０分間静置後でも文字に欠けが見られ、文字を判読できなかった。
〈安定性試験〉
実施例、比較例で調製したインクジェットインクを４５℃の環境下で一定期間に亘って保存した後に粘度を測定し、保存前の粘度に対する変化率を求めて、下記の基準で安定性を評価した。
【００９３】
◎：６週間保存後の粘度の変化率は±１０％以内であった。
○：６週間保存後の粘度の変化率は±１０％を超えたが、４週間保存後の粘度の変化率は±１０％以内であった。
△：４週間保存後の粘度の変化率は±１０％を超えたが、２週間保存後の粘度の変化率は±１０％以内であった。
【００９４】
×：２週間保存後でも粘度の変化率は±１０％を超えた。
〈連続印字性試験〉
オンデマンド型のインクジェットプリンタ（設定周波数：６ｋＨｚ）を使用して、実施例、比較例で調製したインクジェットインクにより、オフセットコート紙上に、５０ｍ／分の印字速度で複数本の平行な罫線を連続して印刷した。
【００９５】
そして印字した罫線を目視にて観察して、下記の基準で吐出安定性を評価した。
○：等間隔できれいな罫線を印字できた。良好
△：罫線が若干波打ち気味か、または罫線の間隔に若干のばらつきが見られたが通常レベル。
×：「△」より罫線の波打ちが大きいか、もしくは間隔のばらつきが大きかった。不良。
【００９６】
〈高周波印字の応答性試験〉
オンデマンド型のインクジェットプリンタ（設定周波数：１２ｋＨｚ）を使用して、実施例、比較例で調製したインクジェットインクにより、オフセットコート紙上に、縦：１３ｍｍ、横：２４０ｍｍのベタ面を２０行、連続して印字した。
そして印字したベタ面を目視にて観察して、下記の基準で高周波印字の応答性を評価した。
【００９７】
○：すべての行のベタ面にかすれは見られなかった。
△：１８行目以降のベタ面の印刷エンド部分で、インクの供給が追い付かないことによるかすれが見られた。
×：１８行目以前で既にかすれが見られた。
〈印字鮮明性試験〉
オンデマンド型のインクジェットプリンタ（設定周波数：６ｋＨｚ）を使用して、実施例、比較例で調製したインクジェットインクにより、ＦＣ錠の表面に４ポイントの小文字「ａｂｃｄｅｆｇ」を印字した。
【００９８】
そして印字を目視にて観察して、下記の基準で印字の鮮明性を評価した。
○：鮮明性に優れていた。
△：鮮明性が「○」に比べて僅かに劣っていたが通常レベル。
×：「△」より鮮明性に劣っていた。
以上の結果を表３〜表６に示す。
【００９９】
【表３】
2019218522.tif 000004
【０１００】
【表４】
2019218522.tif 000005
【０１０１】
【表５】
2019218522.tif 000006
【０１０２】
【表６】
2019218522.tif 000007
表３〜表６の実施例１〜１５、比較例１〜５の結果より、結着剤としてアラビアガムを用いるとともに、炭素数１２以上、２０以下の高級アルコール、炭素数１以上、４以下の低級アルコール、および水を併用することにより、現状よりも間欠印字性や連続印字性にすぐれ、たとえば、固形の製剤の表面に良好な印字をすることができるインクジェットインクを提供できることが判った。
【０１０３】
また実施例１、２の結果より、アラビアガムとしては、ｐＨが３．５以上であるのものを選択して用いるのが好ましいことが判った。
実施例１、実施例３〜６の結果より、高級アルコールとしては、上記の範囲でも炭素数が１４以上、１８以下であるもの、たとえば、ミリスチルアルコール、セタノール、ステアリルアルコールが好ましく、とくにセタノールが好ましいことが判った。
【０１０４】
実施例１、実施例７の結果より、界面活性剤を含む場合、当該界面活性剤としては、ポリオキシエチレンポリオキシプロピレングリコールを用いるのが好ましいことが判った。
実施例１、実施例８〜１１の結果より、アラビアガムＧと高級アルコールＨの質量比Ｇ／Ｈは３以上、とくに５以上であるのが好ましく、７５以下、とくに５０以下であるのが好ましいことが判った。
【０１０５】
実施例１、実施例１２〜１５の結果より、低級アルコールとしてエタノールＥとプロパノールＰの２種を併用する場合、両者の質量比Ｅ／Ｐは２以上、とくに３以上であるのが好ましく、１６以下、とくに９以下であるのが好ましいことが判った。
さらに実施例１〜１５の結果より、低級アルコールＬと水Ｗの質量比Ｌ／Ｗは０．５以上であるのが好ましく、２以下であるのが好ましいことが判った。